(57)【特許請求の範囲】
【請求項１】
カッタを収納するカッタ室の後方から刈り芝を排出する刈り芝排出通路を延ばし、この刈り芝排出通路の底を別体の底プレートで塞ぐ形式の芝刈機のハウジングにおいて、
前記刈り芝排出通路の入口の下部を担う基部を形成するとともに、この基部から上部・下部フランジを延出することで底プレートの先端を差込む凹部を形成したブリッジを前記カッタ室の後部に渡し、前記刈り芝排出通路の出口に嵌合凹部又は嵌合孔を備えた背板を渡し、前記嵌合凹部又は嵌合孔を嵌合させる突起を前記底プレートの後端に設けることで、底プレートを差込み並びに嵌合させて前記ハウジングに固定したことを特徴とする芝刈機のハウジング構造。
【請求項２】
前記底プレートの先端に、前記ブリッジの上部フランジを収納する段部を設け、この上部フランジの上面と底プレートの上面が同一面になるようにしたことを特徴とする請求項１記載の芝刈機のハウジング構造。
【請求項３】
前記ハウジングは、少なくとも刈り芝排出通路を形成する天井部に沿う部分を欠落させ、その代りに前記天井部にへ字断面の折曲げ部を形成して補強を図ったことを特徴とする請求項１又は請求項２記載の芝刈機のハウジング構造。
【発明の詳細な説明】
【０００１】
【発明の属する技術分野】
本発明は、カッタを収納するカッタ室から刈り芝を排出する刈り芝排出通路を延ばし、この刈り芝排出通路の底を別体の底プレートで塞ぐ形式の芝刈機のハウジング構造の改良に関する。
【０００２】
【従来の技術】
芝刈機のハウジング構造として、例えば実開昭６３−６１２２３号公報「歩行型芝刈機」や▲２▼特願平１−２１８５０９号公報「歩行型芝刈機」が知られている。
上記▲１▼は、同公報の第２図によれば、刈り芝排出通路の底部を形成する底板１０を刈刃ハウジング３にねじ止めする構造が示される。
上記▲２▼は、同公報の第４図によれば、芝刈排出口１６に近い刈り芝排出通路の底部に段差が見られる。
【０００３】
【発明が解決しようとする課題】
しかし、上記▲１▼の歩行型芝刈機では、刈刃ハウジング３に底板１０をねじ止めする底板１０の取付けが比較的面倒である。ねじを紛失すると、取付けが出来ぬため部品の管理を十分に行なう必要がある。
また、上記▲２▼の歩行型芝刈機では、芝刈排出口１６に近い刈り芝排出通路の底部に段差があるので、この段差に刈り芝が当たり刈り芝の排出の妨げになる。
【０００４】
そこで、本発明の目的は、刈り芝排出通路の底部を形成する底プレートの取付け性の改善を図るとともに、刈り芝排出通路の底部に段差を発生させることのない芝刈機のハウジング構造を提供することにある。
【０００５】
【課題を解決するための手段】
上記目的を達成するために請求項１は、カッタを収納するカッタ室の後方から刈り芝を排出する刈り芝排出通路を延ばし、この刈り芝排出通路の底を別体の底プレートで塞ぐ形式の芝刈機のハウジングにおいて、刈り芝排出通路の入口の下部を担う基部を形成するとともに、この基部から上部・下部フランジを延出することで底プレートの先端を差込む凹部を形成したブリッジをカッタ室の後部に渡し、刈り芝排出通路の出口に嵌合凹部又は嵌合孔を備えた背板を渡し、嵌合凹部又は嵌合孔を嵌合させる突起を底プレートの後端に設けることで、底プレートを差込み並びに嵌合させてハウジングに固定したことを特徴とする。
【０００６】
カッタ室に収納したカッタで刈り取った刈り芝を排出するために、刈り芝排出通路が必要である。この刈り芝排出通路の底を別体の底プレートで塞ぐようにする。
この底プレートをハウジングに固定するために、刈り芝排出通路の入口の下部を担う基部を形成するとともに、この基部から上部・下部フランジを延出することで底プレートの先端を差込む凹部を形成したブリッジをカッタ室の後部に渡し、刈り芝排出通路の出口に嵌合凹部又は嵌合孔を備えた背板を渡し、嵌合凹部又は嵌合孔を嵌合させる突起を底プレートの後端に設ける。
凹部に底プレートの先端を差込み、嵌合凹部又は嵌合孔に突起を嵌合させてハウジングに底プレートを固定する。すなわち、凹部に底プレートの先端を差込み、嵌合凹部又は嵌合孔に突起を嵌合させてハウジングに底プレートを固定することで、底プレートの取付け性の改善を図る。
【０００７】
請求項２は、底プレートの先端に、ブリッジの上部フランジを収納する段部を設け、この上部フランジの上面と底プレートの上面が同一面になるようにしたことを特徴とする。
ハウジングに底プレートを取付けたときに、上部フランジの上面と底プレートの上面が同一面になるようにして刈り芝の排出の妨げになる段差の発生をなくすことで、刈り芝の排出を円滑に行なえるようにする。
【０００８】
請求項３は、ハウジングの少なくとも刈り芝排出通路を形成する天井部に沿う部分を欠落させ、その代りに天井部にへ字断面の折曲げ部を形成して補強を図ったことを特徴とする。
ハウジングの少なくとも刈り芝排出通路を形成する天井部に沿う部分を欠落させて刈り芝を円滑に排出できるようにする。ハウジングの強度が低下する分を天井部にへ字断面の折曲げ部を形成して補うようにする。すなわち、刈り芝を円滑に排出することができるとともに、ハウジングに十分な強度を保たせることができる。
【０００９】
【発明の実施の形態】
本発明の実施の形態を添付図に基づいて以下に説明する。なお、「前」、「後」、「左」、「右」、「上」、「下」は作業者から見た方向に従い、Ｆｒは前側、Ｒｒは後側、Ｌは左側、Ｒは右側を示す。また、図面は符号の向きに見るものとする。
【００１０】
図１は本発明に係る芝刈機のハウジング構造を有する芝刈機の斜視図であり、１０は芝刈機、１１はハウジング、１２はエンジン、１４はカッタ、１５は前輪、１６は前高さ調整機構、１７は後輪、１８は後高さ調整機構、２２は操作ハンドル、２３はハウジングカバー、２４はグラスバッグ、２７はカッタレバー、２８は変速レバー、２９はヘッドカバーを示す。すなわち、芝刈機１０は、エンジン１２でカッタ１４を回転させるとともに後輪１５を駆動するようにした自走式の芝刈機である。
また、本発明に係る芝刈機のハウジング構造とは、ハウジング１１内の後部に形成する刈り芝排出通路５２廻りの構造であり、以下、その詳細を説明する。
する。
【００１１】
図２は図１の２矢視図であり、芝刈機１０の側面を示す。
芝刈機１０は、ハウジング１１にエンジン１２を搭載し、このエンジン１２で駆動する回転軸１３にカッタ１４を取付け、ハウジング１１に前輪１５を回転自在且つ昇降自在に取付け、ハウジング１１に前輪１５の高さを調整する前高さ調整機構１６を取付け、ハウジング１１に後輪１７を回転自在且つ昇降自在に取付け、ハウジング１１に後輪１７の高さを調整する後高さ調整機構１８を取付け、これらの前・後高さ調整機構１６，１８で前・後輪１５，１７の高さを調整することで、地面Ｇからカッタ１４までの距離を設定し、芝の刈取り高さを設定するものである。
【００１２】
また、エンジン１２の回転を後輪１７に変速機（不図示）を介し伝達することで、芝刈機１０を自走式としたものである。
さらに、ハウジング１１後方に操作ハンドル２２を取付け、ハウジング１１後方にハウジングカバー２３をスイング自在に取付け、ハウジング１１後方に刈り芝を収納するグラスバッグ２４を着脱自在に取付けたものである。
【００１３】
操作ハンドル２２は、ハンドル本体２６にエンジン始動用ケーブル（不図示）、カッタレバー２７及び変速レバー２８を備えたものであって、エンジン始動用ケーブルを引張ることでエンジン１１を始動させ、カッタレバー２７を起こすことでカッタ１４を回転させ、変速レバー２７を前進のポジションに設定することで芝刈機１０を自走させるようにしたものである。
【００１４】
図３は図１の３矢視図であり、芝刈機１０の平面を示す。
芝刈機１０は、前高さ調整機構１６で前輪１５，１５の高さ調整をするとともに、後高さ調整機構１８で前輪１７，１７の高さ調整をすることで、芝の刈取り高さを設定し、カッタ１４を白抜き矢印ａのように回転させることで、芝を刈取るとともに、ハウジング１１内に矢印ｂのような渦流を発生させ、刈り芝をグラスバッグ２４に送り込む。また、芝刈機１０を矢印Ｆｒ方向に自走させることで、芝刈り作業を進めものである。
【００１５】
図４は図１の４矢視図であり、芝刈機１０の底面図を示す。
ハウジング１１は、金属プレス製のハウジングであって、前部に形成することで前高さ調整機構１６の高さ調整板３３（図３参照）の変形を防止する左の膨出部４１Ｌと、後部に取付けることで刈り芝排出通路５２の出口としての刈り芝排出口４２を形成する背板４３と、操作ハンドル２２（図２参照）を取付けるハンドルステー４４Ｌ，４４Ｒと、ハウジング１１内の天井に取付けることで後部の一部を塞ぐスクロールプレート４６と、ハウジング１１内の前部に設けることでカッタ１４の軌跡外周の一部を囲む前スクロールガイド４７と、ハウジング１１内の後部に設けることでカッタ１４の軌跡外周の一部を囲むブリッジとしての後スクロールガイド４８と、これらのスクロールプレート４６及び前・後スクロールガイド４７，４８を設けることで形成するカッタ室５１と、このカッタ室５１後方に形成することで刈り芝を排出する刈り芝排出通路５２とを備えたものである。
【００１６】
なお、４１Ｒは、左の膨出部４１Ｌと同形状でハウジング１１の右側に形成した右の膨出部、６５はハウジングの天井部、６６はハウジングの右側面後部、６７はハウジング１１に形成する開口枠、６８はハウジング１１に形成する切欠き部、６９はハウジングに形成する折曲げ部である。
【００１７】
なお、３１Ｌ，３１Ｒは前輪１５，１５を支持する左右の支持部材、３２は左右の支持部材３１Ｌ，３１Ｒを繋ぐ連結部材、図３に示す３３は前輪１５，１５の高さ調整板、３４は前輪１５，１５の高さ調整レバーを示し、３５Ｌ，３５Ｒは後輪１７，１７を支持する左右の支持部材、３６は左右の支持部材３５Ｌ，３５Ｒを繋ぐ連結部材、図３に示す３７は後輪１７，１７の高さ調整板、３８は後輪１７，１７の高さ調整レバーを示す。
【００１８】
図５は本発明に係る芝刈機のハウジング構造を有するハウジングの平面図である。
背板４３は、底プレート５４を嵌合させる嵌合孔６４，６４を備えた部材であり、図８でその詳細を述べる。
後スクロールガイド４８は、断面視コ字形状の部材であり、基部４８ａから上部・下部フランジ５５，５６を延出することで、底プレート５４の先端を差込む凹部５７を形成したものである。
【００１９】
刈り芝排出通路５２は、背板４３から折曲げ形成したサイドプレート６３と、ハウジング１１の天井部６５と、ハウジング１１の右側面後部６６とから排出溝５９を構成し、この排出溝５９の底を別体の底プレート５４で塞ぐことで形成する通路である。すなわち、ハウジング１１の（刈り芝排出通路５２廻り）の構造は、カッタ１４を収納するカッタ室５１から刈り芝を排出する刈り芝排出通路５２を延ばし、この刈り芝排出通路５２の底を別体の底プレート５４で塞ぐことで形成したものである。なお、５８はカッタ室５１の後方に構成する刈り芝排出通路５２の入口である。
【００２０】
図６は図５の６−６線断面図であり、底プレート５４の側面断面を示し、取付け姿を示す。
底プレート５４は、先端５４ａを後スクロールガイド４８の凹部５７に沿わせた曲線状に形成し、後端５４ｂを背板４３に沿わせた直線状に形成した部材であって、先端５４ａに後スクロールガイド４８の上部フランジ５５を収納する段部６１を設け、後端５４ｂに背板４３の嵌合孔６４，６４（一方の６４は不図示）に嵌合させる突起６２，６２（一方の６２は不図示）を設けたものである。
ハウジング１１（刈り芝排出通路５２廻り）の構造は、底プレート５４の先端５４ａに、後スクロールガイド４８の上部フランジ５５を収納する段部６１を設け、この上部フランジ５５の上面５５ａと底プレート５４の上面５４ｃが同一面になるようにした。すなわち、刈り芝の排出の妨げになる段差の発生をなくすことで、刈り芝の排出を円滑に行なうことができる。
次に、図７でハウジング１１に底プレート５４を組立要領を説明する。
【００２１】
図７は（ａ）〜（ｃ）本発明に係る芝刈機のハウジング構造の組立説明図である。
（ａ）において、ハウジング１１の下方に底プレート５４を用意する。
（ｂ）において、後スクロールガイド４８の凹部５７に底プレート５４の先端５４ａを矢印▲３▼の如く当て、背板４３の嵌合孔６４に向けて底プレート５４の後端５４ｂを矢印▲４▼の如く回転させる。
（ｃ）において、背板４３の嵌合孔６４に突起を嵌合させて、底プレートの取付けを完了する。
【００２２】
ハウジング１１（刈り芝排出通路５２廻り）の構造は、底プレート５４をハウジング１１に固定するために、刈り芝排出通路の入口５８に底プレート５４の先端５４ａを差込む凹部５７を備えた後スクロールガイド４８を渡すとともに、刈り芝排出口４２（刈り芝排出通路の出口）に嵌合孔６４を備えた背板４３を渡し、嵌合孔６４を嵌合させる突起６２を底プレート５４の後端５４ｂに設けることで、凹部５７に底プレート５４の先端５４ａを差込み、嵌合孔６４に突起６２を嵌合させてハウジング１１に底プレート５４を固定するようにしたので、底プレート５４の取付け性の改善を図ることができる。この結果、ハウジング１１のコストの低減を図ることができる。
【００２３】
図８は図６の８矢視図であり、ハウジング１１の後部正面を示す。
背板４３は、前述したように、刈り芝排出通路５２（排出溝５９）を形成するためのサイドプレート６３を折曲げ形成し、底プレート５４を嵌合させるための嵌合孔６４，６４を形成した部材であって、さらに、刈り芝排出口４２を備え部材である。次に、ハウジング１１に形成した切欠き部６８について、その詳細を次図で説明する。
【００２４】
図９は図８の９−９線断面図であり、ハウジング１１の切欠き部６８に詳細を示す。
ハウジング１１の切欠き部６８は、ハウジング１１に形成した開口枠６７の一部を切欠く部分であって、少なくとも刈り芝排出通路５２を形成する天井部６５に沿う部分を欠落させ、その代りに天井部６５にへ字断面の折曲げ部６９を形成して補強を図ったものである。
【００２５】
ハウジング１１（刈り芝排出通路５２廻り）の構造は、ハウジング１１の少なくとも刈り芝排出通路５２を形成する天井部６５に沿う部分を欠落させて刈り芝を円滑に排出できるようにし、ハウジング１１の強度が低下する分を天井部６５にへ字断面の折曲げ部６９を形成して補うようにしたので、刈り芝を円滑に排出することができるとともに、ハウジングに十分な強度を保たせることができる。
【００２６】
以上に述べたハウジングの切欠き部の作用を次に説明する。
図１０（ａ），（ｂ）は本発明に係る芝刈機のハウジング構造の作用説明図であり、（ａ），（ｂ）は比較例のハウジング１００を示し、（ｃ），（ｄ）は実施例のハウジング１１を示す。
（ａ）において、ハウジング１００は、刈り芝排出口１０１に、刈り芝排出口１０１を補強する開口枠１０２を形成した構造であることを示す。
（ｂ）において、矢印▲５▼の如く飛んできた刈り芝は、開口枠１０２に当たりグラスバッグ１０３の入口近くに落ちる。従って、グラスバッグ１０３の充填効率が落ちる。
【００２７】
（ｃ）において、ハウジング１１は、刈り芝排出通路５２を形成する天井部６５に沿う部分を欠落させ、その代りに天井部６５にへ字断面の折曲げ部６９を形成して補強を図った構造であることを示す。
（ｄ）において、矢印▲６▼の如く飛んできた刈り芝は、（ｃ）に示す開口枠６７に当たることがないので、グラスバッグ２４の奥まで飛んでいくことができる。従って、グラスバッグ２４の充填効率がよい。
【００２８】
尚、実施の形態では図６に示すように、底プレート５４の突起６２を嵌合させるために、背板４３に嵌合孔６４を開けたが、これに限るものではなく、嵌合孔は嵌合凹部であってもよい。
【００２９】
【発明の効果】
本発明は上記構成により次の効果を発揮する。
請求項１は、刈り芝排出通路の入口の下部を担う基部を形成するとともに、この基部から上部・下部フランジを延出することで底プレートの先端を差込む凹部を形成したブリッジをカッタ室の後部に渡し、刈り芝排出通路の出口に嵌合凹部又は嵌合孔を備えた背板を渡し、嵌合凹部又は嵌合孔を嵌合させる突起を底プレートの後端に設け、底プレートを差込み並びに嵌合させてハウジングに固定したので、底プレートの取付け性の改善を図ることができる。この結果、ハウジングのコストの低減を図ることができる。
【００３０】
請求項２は、底プレートの先端に、ブリッジの上部フランジを収納する段部を設け、この上部フランジの上面と底プレートの上面が同一面になるようにしたので、刈り芝の排出を円滑に行なうことができる。
【００３１】
請求項３は、ハウジングの少なくとも刈り芝排出通路を形成する天井部に沿う部分を欠落させ、その代りに天井部にへ字断面の折曲げ部を形成して補強を図ったので、ハウジングに十分な強度を保たせることができる。
【図面の簡単な説明】
【図１】本発明に係る芝刈機のハウジング構造を有する芝刈機の斜視図
【図２】図１の２矢視図
【図３】図１の３矢視図
【図４】図１の４矢視図
【図５】本発明に係る芝刈機のハウジング構造を有するハウジングの平面図
【図６】図５の６−６線断面図
【図７】本発明に係る芝刈機のハウジング構造の組立説明図
【図８】図６の８矢視図
【図９】図８の９−９線断面図
【図１０】本発明に係る芝刈機のハウジング構造の作用説明図
【符号の説明】
１０…芝刈機、１１…ハウジング、１４…カッタ、４２…刈り芝排出通路の出口（刈り芝排出口）、４３…背板、４８…ブリッジ（後スクロールガイド）、５１…カッタ、５２…刈り芝排出通路、５４…底プレート、５４ａ…先端、５４ｂ…後端、５４ｃ…上面、５５…上部フランジ、５５ａ…上面、５７…凹部、５８…刈り芝排出通路の入口、６１…段部、６２…突起、６４…嵌合孔、６５…天井部、６９…折曲げ部。
【図１】
0003703699.tif 000002
【図２】
0003703699.tif 000003
【図３】
0003703699.tif 000004
【図４】
0003703699.tif 000005
【図５】
0003703699.tif 000006
【図６】
0003703699.tif 000007
【図７】
0003703699.tif 000008
【図８】
0003703699.tif 000009
【図９】
0003703699.tif 000010
【図１０】
0003703699.tif 000011